(57)【要約】【課題】この考案は、内部に収容した商品に、袋から取り出すことなく、外部からラベルの取付が容易に行えるように大きく開口を持ち、流通運搬中に商品を内部に収容して汚れから守り、最後に容易に袋を破断してスピーディに商品の取り出しが簡単に行える商品の汚れ防止用包装袋の提供にある。【解決手段】チュウブフイルムを、その繰出し方向に所要長さの間隔を持って、その横断方向に切断し、その切断縁の一方は、開口をシールして天縁に、他方縁は、開口をそのまま開放する底縁として袋体を設けると共に、その袋体の天縁よりに、その天縁に略平行し、かつ袋体の左側縁と右側縁とに所要の間隔を離隔する開口端を有して袋体の表裏面に貫通する横切込みを入れ、その横切込みの中間より底縁の方向に向かって表裏面に貫通する縦点線切込みを入れてなる商品の汚れ防止用包装袋。【選択図】図１
0003105627.tif 000002
【実用新案登録請求の範囲】
【請求項１】
チュウブフイルムを、その繰出し方向に所要長さの間隔を持って、その横断方向に切断し、その切断縁の一方は、開口をシールして天縁に、他方縁は、開口をそのまま開放する底縁として袋体を設けると共に、その袋体の天縁よりに、その天縁に略平行し、かつ袋体の左側縁と右側縁とに所要の間隔を離隔する左開口端と右開口端を有して袋体の表裏面に貫通する横切込みを入れ、その横切込みの中間より底縁の方向に向かって表裏面に貫通する縦点線切込みを入れてなる商品の汚れ防止用包装袋。
【請求項２】
前記横切込みの中間に、表裏面に貫通する縦点線切込みに連通する縦案内切込みを設けてなる請求項１の商品の汚れ防止用包装袋。
【請求項３】
前記表裏面に貫通する横切込みの左右開口端をそれぞれ左円弧孔と右円弧孔で接続してなる請求項１又は請求項２の商品の汚れ防止用包装袋。
【考案の詳細な説明】
【技術分野】
【０００１】
本考案は、内部に収容した商品に、袋から取り出すことなく、外部からラベルの取付が容易に行えるように大きく開口を持ち、流通運搬中に商品を内部に収容して汚れから守り、最後に、容易に袋体を破断してスピーディに商品の取り出しが簡単に行える商品の汚れ防止用包装袋に関するものである。
【背景技術】
【０００２】
近年、急激に被服類、雑貨等の商品が海外生産にシフトされ、包装され、遠路から移動して我が国に輸入され、開披されて売り場に陳列されて消費者にわたるようになった。そのため、商品の包装の適否が流通コストに大きく掛かるものである。
従来、食品を小分けして包装する商品包装用袋は、実開平５−７５１４６号に開示されている。また、生鮮食品であるバナナの輸送兼陳列用包装袋が実登第３０１４７７８号公報に掲載されている。また、本体商品である包装袋を包装する外装袋を一体に取付けたものが、特開２００３−３４１６９３号公報に掲載されている。しかし、これらは、当然ながら商品を包装する機能はあっても、包装後に内部の商品にラベルを取付けるような後付け作業を考慮した構造がなく、また、左右から引張力で簡単に破断し、商品と包装用袋が分離する構造になっていないものである。
【特許文献１】実開平５−７５１４６号公報
【特許文献２】実登第３０１４７７８号公報
【特許文献３】特開２００３−３４１６９３号公報
【考案の開示】
【考案が解決しようとする課題】
【０００３】
この考案は、現地生産地における包装作業の簡易化、包装後、必要があれば、外部からラベル等を差入れて取り付けが可能な大きな開口をもち、そして、再び、販売地の店頭等で開披されるまでの輸送中における汚れ防止し、また、その販売地の店頭等で容易に開披が出来る商品の汚れ防止用包装袋の提供にある。
【課題を解決するための手段】
【０００４】
チュウブフイルムを、その繰出し方向に所要長さの間隔を持って、その横断方向に切断し、その切断縁の一方は、開口をシールして天縁に、他方縁は、開口をそのまま開放する底縁として袋体を設けると共に、その袋体の天縁よりに、その天縁に略平行し、かつ袋体の左側縁と右側縁とに所要の間隔を離隔する左開口端と右開口端を有して袋体の表裏面に貫通する横切込みを入れ、その横切込みの中間より底縁の方向に向かって表裏面に貫通する縦点線切込みを入れてなる商品の汚れ防止用包装袋にある。
【０００５】
前記横切込みの中間に、表裏面に貫通する縦点線切込みに連通する縦案内切込みを設けてもよいものである。
【０００６】
前記表裏面に貫通する横切込みの左右開口端をそれぞれ左円弧孔と右円弧孔で接続してもよいものである。
【考案の効果】
【０００７】
この考案の包装袋は、生産地における包装作業の簡易化、及び包装後の後付け作業を可能とする大きな開口をもち、そして、再び、販売地の店頭等で開披されるまでの長い輸送中における汚れを確実に防止し、また、その販売地の店頭等で容易に能率よく開披作業が行えるものである。
【考案を実施するための最良の形態】
【０００８】
チュウブフイルムを、その繰出し方向に所要長さの間隔を持って、その横断方向に切断し、その切断縁の一方は、開口をシールして天縁に、他方縁は、開口をそのまま開放する底縁として袋体を設けると共に、その袋体の天縁よりに、その天縁に略平行し、かつ袋体の左側縁と右側縁とに所要の間隔を離隔した左開口端と右開口端を左円弧孔と右円弧孔で形成して袋体の表裏面に貫通する横切込みを入れ、その横切込みの中間より底縁の方向に向かって表裏面に貫通する縦案内切込みを所要巾入れ、これに連通する縦点線切込みを更に底縁の方向に向かって所要巾表裏面に貫通して設けてなる商品の汚れ防止用包装袋。
【実施例】
【０００９】
以下、この考案の商品の汚れ防止用包装袋（以下単に包装袋という。）を図面に示す実施例により説明すると、図１〜３は第１実施例の包装袋２を示し、押出成型機より製造されたチュウブフイルム１をその繰出し方向に所要長さの間隔を持って、その横断方向に切断し、その切断縁の一方は、開口をヒートシール３により閉鎖して天縁２ａ１に、他方縁は、開口をそのまま開放する底縁２ａ２として袋体２ａを設けると共に、その袋体２ａの天縁２ａ１よりに、その天縁２ａ１に略平行し、かつ袋体２ａの左側縁２ａ３と右側縁２ａ４とに所要の間隔を離隔した左開口端４ａと、右開口端４ｂを有して袋体２ａの表裏面に貫通する横切込み４を入れ、その横切込み４の中間より底縁２ａ２の方向に向かって表裏面に貫通する縦点線切込み５を入れ、もって、第１実施例の包装袋２を設けてなるものである。前記横切込み４及び縦点線切込み５は、型による打ち抜き、刃物による押し切りでもよいものである。
【００１０】
前記第１実施例の包装袋２は、前述のように構成されるから、開放された底縁２ａ２を開き、商品等の被包装物６を入れた後、底縁２ａ２を所要巾、袋体２ａの一方面に折返し、粘着テープ７により封緘し、被包装物６の全体を包装することができる。
【００１１】
被包装物６は、第１実施例の包装袋２に収容されるので、被包装物６の外面が養生され、搬送中に人手に直接に触られることが防止される。そして、例えば、包装後に、特に必要とする場合は、横切込み４から内部に手を差入れてラベル等の後付け作業をすることができる。
【００１２】
次に、最終的に、商品である被包装物６を開披して店頭に並べるときには、袋体２ａの左側縁２ａ３と右側縁２ａ４を持って外側に引くと、横切込み４が開口し、その開口が縦点線切込み５に連通しているので、容易に、縦点線切込み５が破断し、底縁２ａ２まで、瞬時に達するので、第１実施例の包装袋２は二分し、被包装物６を簡単に能率よく取出すことができる。
【００１３】
図４は、第２実施例の包装袋８を示し、横切込み４の中間に、表裏面に貫通する縦点線切込み５に連通する縦案内切込み９を設けているものである。
【００１４】
左側縁２ａ３と右側縁２ａ４に引張りを受けて第２実施例の包装袋８に発生する応力を縦点線切込み５に確実に導入し、その破断を確実・容易にするものである。他の構成は、第１実施例と同じである。
【００１５】
図５は、第３実施例の包装袋１０を示し、表裏面に貫通する横切込み４の左右開口端をそれぞれ左円弧孔４ａ１と右円弧孔４ｂ１で接続するものである。前記縦案内切込み９、左円弧孔４ａ１及び右円弧孔４ｂ１は、型による打ち抜き、刃物による押し切りでもよいものである。
【００１６】
横切込み４の左右開口端の一点に応力が集中することを防止し、輸送中および後付作業中に横切込み４が破断して大きく開口することを防止するものである。そして、他の構成は、第１実施例と同じである。
【００１７】
図６は、第４実施例の包装袋１１を示し、前記第２実施例と第３実施例を合わせ持つものである。
【００１８】
前記実施例１〜４のチュウブフイルム１は、帯フイルムの両測縁を所要巾重合接着してチュウブフイルムを構成してもよいものである。また、素材については、ポリプロピレン樹脂、ポリエチレン樹脂を用いることができる。他のフイルム樹脂でもよいものである。
【産業上の利用可能性】
【００１９】
この考案の包装袋は、以上のようになるから、商品の生産拠点が移されて、現地生産地における包装作業の簡易化及び包装後の後付け作業を可能とする大きな開口をもち、そして、再び、輸入国の販売地の店頭等で開披されるまでの長い輸送中における汚れを確実に防止し、また、その販売地の店頭等で容易に能率よく開披作業が行えるものである。
よって、この考案の包装袋は、国際的商品の流通に大きな効果を奏するものである。
【図面の簡単な説明】
【００２０】
【図１】この考案の第１実施例の包装袋を示す表面図である。
【図２】同じく、その第１実施例の包装袋に商品等の被包装物を収容し、底縁を反対    面側に折返して封緘した状態を示す表面図である。
【図３】同じく、その第１実施例の包装袋に商品等の被包装物を収容し、底縁を反対面側に折返して底縁を粘着テープで封緘した状態を示す裏面図である。
【図４】この考案の第２実施例の包装袋の示す一方面図である。
【図５】この考案の第３実施例の包装袋の示す一方面図である。
【図６】この考案の第４実施例の包装袋の示す一方面図である。
【符号の説明】
【００２１】
１  チュウブフイルム
２  第１実施例の包装袋
２ａ  袋体
２ａ１  天縁
２ａ２  底縁
２ａ３  左側縁
２ａ４  右側縁
３  ヒートシール
４  横切込み
４ａ  左開口端
４ａ１  左円弧孔
４ｂ  右開口端
４ｂ１  右円弧孔
５  縦点線切込み
６  被包装物
７  粘着テープ
８  第２実施例の包装袋
９  縦案内切込み
１０  第３実施例の包装袋
１１  第４実施例の包装袋
【図１】
0003105627.tif 000003
【図２】
0003105627.tif 000004
【図３】
0003105627.tif 000005
【図４】
0003105627.tif 000006
【図５】
0003105627.tif 000007
【図６】
0003105627.tif 000008